(57)【要約】【課題】２種以上の流体を微小流路に導入し、多相の層流状態を維持したまま、隣接する２種の流体間における溶媒抽出や化学反応を、より速い流体の送液速度であっても、より短い微小流路の流路長であっても十分に進行させ、かつ現実的に送液可能な微小流路の幅で実現することができる、非常に高効率な微小流路内での化学操作の実施方法を提供する。【解決の手段】２以上の導入口及び導入流路と、導入された流体を流すための微小流路と、所定の流体を排出する排出流路及び排出口と、を有した微小流路構造体により化学操作を実施する方法であって、前記微小流路は、導入された２種以上の流体により形成される境界に沿って、流体進行方向に複数の不連続な仕切壁が形成されており、微小流路内で隣接する２種の流体が、不連続な仕切り壁によって接触と分離を複数回繰り返す化学操作の実施方法。【選択図】なし【特許請求の範囲】
【請求項１】
流体を導入するための２以上の導入口及びそれらに連通する導入流路と、前記導入流路が合流する合流部と連通しかつ導入された流体を流すための微小流路と、前記微小流路に連通しかつ所定の流体を排出する排出流路及びそれらに連通する排出口と、を有した微小流路構造体により化学操作を実施する方法であって、前記微小流路は、導入された２種以上の流体により形成される境界近傍に沿って、流体進行方向に複数の不連続な仕切壁が形成されており、前記微小流路内で隣接する２種の流体が、前記不連続な仕切り壁によって接触と分離を複数回繰り返すことを特徴とする化学操作の実施方法。
【請求項２】
２種の流体の一方よりもう一方へ、反応物あるいは抽出対象となる物質を抽出することを特徴とする請求項１記載の溶媒抽出方法。
【発明の詳細な説明】
【０００１】
【発明の属する技術分野】
本発明は、化学反応や液滴生成、分析などを行なう微小流路を有する微小流路構造体において、微小流路に導入した流体の混合や溶媒抽出、化学反応、分離等を行なうに好適な微小流路を用いた流体の化学操作の実施方法及びこれを用いた溶媒抽出方法に関する。
【０００２】
【従来の技術】
近年、数ｃｍ角のガラス基板上に長さが数ｃｍ程度で、幅と深さがサブμｍから数百μｍの微小流路を有する微小流路構造体を用い、流体を微小流路へ導入することにより化学反応を行う研究が注目されている。このような微小流路では、微小空間での短い物質拡散距離および大きな比界面積の効果によるすみやかな物質拡散により、特別な攪拌操作を行なわなくとも効率の良い溶媒抽出や化学反応を行なうことができることや、化学反応によって生じた反応生成物が反応相から抽出相へすばやく溶媒抽出、分離されることによって、引き続いて起こる副反応が抑えられることが示唆されている（例えば、非特許文献１参照）。
【０００３】
ここで微小流路とは上記微小空間の特徴が現れる空間であれば特に流路の幅や、流路の深さは限定されないが、一般に流路の幅が５０〜３００μｍ、流路の深さが１０〜１００μｍの大きさの流路を意味する。また、溶媒抽出とは、抽出溶媒に抽出対象物質を被抽出溶媒から抽出することを意味しており、本明細書では、液体からなる液相を蒸発させて隣接する気体からなる気相に取り込むことも溶媒抽出のひとつに含まれる。
【０００４】
上記の例等では、図１に示すようにＹ字状の微小流路に原材料を溶かした水相（１）と有機相（２）を導入し、Ｙ字の合流部分で形成される有機相と水相の流体境界（３）で溶媒抽出や化学反応を実施している。
【０００５】
一般的に、マイクロスケールの流路内ではレイノルズ数が１より小さいケースがほとんどであり、よほど流速を大きくしない限りは図１に示すような層流の状態となる。また、物質の拡散時間は微小流路の幅（９）の２乗に比例するので、微小流路の幅（９）を小さくするほど反応液を能動的に混合しなくとも物質の拡散によって混合が進み、溶媒抽出や化学反応が起こりやすくなる。なお、流体境界は層流界面といわれることもある。
【０００６】
また、図２に示すように、微小流路の流体排出口（１２）をＹ字にしておくことで、水相と有機相を分離することができるということが一般的に言われている。このように流体排出口で導入した流体を完全に分離して排出することは、微小流路内で流体が接触することによって生じる溶媒抽出や化学反応を微小流路の分岐部（４）において完全に停止させたり、一度微小流路に導入した流体を再利用する上でも非常に重要な機能である。
【０００７】
ここで通常図１のような微小流路を用いた場合、溶媒抽出や化学反応の進行は、主に流体境界（３）における隣接する流体間に含有している物質の濃度差から生じる拡散で進行し、一般に流体を供給する流速（以下、送液速度と称する）が遅いほど、あるいは流路長が長いほど、溶媒抽出や化学反応がより進行する。すなわち、隣接する流体同士の接触時間が長いほど溶媒抽出や化学反応がより進行するといわれている（例えば、非特許文献２参照）。
【０００８】
しかしながら、送液速度を遅くすることにより隣接する流体同士の接触時間を長くすると、微小流路内での溶媒抽出や化学反応の進行の度合いは高くなるが、単位時間あたりの収量は減ってしまうと言う問題があった。
【０００９】
また送液速度一定で流路長を長くすることで隣接する流体同士の接触時間を長くすると、微小流路内での溶媒抽出や化学反応の進行の度合いは高くなるが、流路長が長くなるほど圧力損失が大きくなり、流体を送液することが難しくなるという問題があった。
【００１０】
さらに、流体境界で溶媒抽出や化学反応が進行するため、抽出物質や反応生成物が流体境界の近傍に蓄積され、微小流路内で抽出物質や反応生成物の濃度分布が生じ、流体境界の近傍で抽出物質や反応生成物の濃度が最も高くなる。このため、流体境界の近傍では溶媒抽出や化学反応が飽和状態となるため、流体境界の近傍での溶媒抽出や化学反応の進行が遅くなる。従って、前述した微小空間での化学反応の特徴である効率の良い化学反応、すばやい溶媒抽出、分離および副反応の抑制といった効果を十分に得ることができなかった。前述したように微小流路の幅（９）を狭くすればさらに物質の拡散時間を短くでき、流体境界の近傍での反応生成物の蓄積を抑えることはできるが、微小流路の幅が狭いほど圧力損失が大きくなるため流体を送液することが難しくなり現実的ではない。また、能動的に流体境界を崩して混合すれば、反応生成物は流路内に均一に分布させることができるので溶媒抽出や化学反応の効率は向上する可能性はあるが、流体は懸濁状になり反応生成物を反応相から容易に分離することができず、溶媒抽出、分離の効果や副反応の抑制効果が十分得られなかった。
【００１１】
【非特許文献１】
Ｈ．Ｈｉｓａｍｏｔｏ  ｅｔ．ａｌ．（Ｈ．ひさもと  ら著）「Ｆａｓｔ  ａｎｄ  ｈｉｇｈ  ｃｏｎｖｅｒｓｉｏｎ  ｐｈａｓｅ−ｔｒａｎｓｆｅｒ  ｓｙｎｔｈｅｓｉｓ  ｅｘｐｌｏｉｔｉｎｇ  ｔｈｅ  ｌｉｑｕｉｄ−ｌｉｑｕｉｄｉｎｔｅｒｆａｃｅ  ｆｏｒｍｅｄ  ｉｎ  ａ  ｍｉｃｒｏｃｈａｎｎｅｌ  ｃｈｉｐ」，  Ｃｈｅｍ．Ｃｏｍｍｕｎ．，  ２００１年発行，  ２６６２−２６６３頁
【非特許文献２】
藤井、「集積型マイクロリアクターチップ」、ながれ２０巻、２００１年発行、９９〜１０５頁
【００１２】
【発明が解決しようとする課題】
本発明の目的は、かかる従来の実状に鑑みて提案されたものであり、２種以上の流体を微小流路に導入し、多相の層流状態を維持したまま、隣接する２種の流体間における溶媒抽出や化学反応を、より速い流体の送液速度であっても、より短い微小流路の流路長であっても十分に進行させ、かつ現実的に送液可能な微小流路の幅で実現することができる、微小流路内での高効率な溶媒抽出等の化学操作の実施方法を提供することにある。
【００１３】
【課題を解決するための手段】
本発明は上記課題を解決するものとして、流体を導入するための２以上の導入口及びそれらに連通する導入流路と、前記導入流路が合流する合流部と連通しかつ導入された流体を流すための微小流路と、前記微小流路に連通しかつ所定の流体を排出する排出流路及びそれらに連通する排出口と、を有した微小流路構造体により化学操作を実施する方法であって、前記微小流路は、導入された２種以上の流体により形成される境界近傍に沿って、流体進行方向に複数の不連続な仕切壁が形成されており、前記微小流路内で隣接する２種の流体が、前記不連続な仕切り壁によって接触と分離を複数回繰り返すことにより、高効率で、２種の流体の一方よりもう一方へ、反応物あるいは抽出対象となる物質を抽出でき、溶媒抽出等の種々の化学操作を効率的に実施できることを見出し、遂に本発明を完成するに至った。
【００１４】
なお、「２種以上の流体により形成される境界」という表現を、本発明では「流体境界」という表現と同意語で使用している。また、流体を排出する排出流路とそれに連通する排出口は１組でも良いし、導入した各々の流体を分離して排出できるように導入した流体と同数の排出流路とそれに連通する排出口を有していても良いし、導入した各々の流体の数によらず複数の排出流路とそれに連通する排出口を有していても良い。以下、本発明を詳細に説明する。
【００１５】
本発明は、通常、水、有機溶媒等の媒体に目的とする反応物、あるいは抽出対象となる物質を溶解した２種以上の流体を微小流路構造体に形成されている微小流路に導入し、導入された流体を微小流路空間内で多相の層流を維持したまま送液することで、隣接する流体間で複数回、接触と分離を繰り返し、隣接する流体が接触している間の物質の拡散により溶媒抽出、化学反応などを行う化学操作の実施方法である。
【００１６】
このため、本発明に用いる微小流路構造体には、流体を導入するための２以上の導入口及びそれらに連通する導入流路と、前記導入流路が合流する合流部と連通しかつ導入された流体を流すための微小流路と、前記微小流路に連通しかつ所定の流体を排出する排出口と、を有した微小流路構造体であって、前記微小流路には、導入された２種以上の流体のうち、隣接する流体が複数回、接触と分離を繰り返すことができるように、流体境界が形成される境界近傍に沿って、流体進行方向に複数の不連続な仕切壁が形成された微小流路であることが好ましい。
【００１７】
ここで、上記の微小流路とは、微小空間の特徴が現れる空間であれば特に流路の幅や、流路の深さは限定されないが、一般的に幅５００μｍ以下、深さ３００μｍ以下のサイズの流路であり、好ましくは、流路の幅が５０〜３００μｍ、流路の深さが１０〜１００μｍの大きさの流路を意味する。また、導入流路と排出流路の幅と深さは特に制限はないが、微小流路と同様の幅と深さであっても良い。また、導入口と排出口の大きさも特に制限はないが、一般的に直径約０．１ｍｍ〜数ｍｍ程度の大きさであれば良い。また、「隣接する２種の流体が、接触と分離を複数回繰り返す」とは、隣接する２種の流体が少なくとも２回以上接触と分離を繰り返すことを意味する。
【００１８】
さらに、このように隣接する流体を複数回、接触と分離を繰り返すための仕切り壁を設けることにより、本発明の主たる効果である溶媒抽出や化学反応を高効率に実施することができる効果だけでなく、導入された２種以上の流体のうち、隣接する流体が互いに混入することはなく、安定した多相の層流を維持したまま、所定の排出流路に各々の流体を互いに隣接する流体の混入なしに排出することも可能としている。
【００１９】
またこの仕切り壁の高さは、流路の深さに対してあまり低いと本発明による効果を得ることができない。本発明出願時での実験経験から、仕切壁の高さは流路の深さに対して２０％以上の高さである事が好ましく、さらには隣接する流体が微小流路内で確実に互いに混入しないようにするためには、その仕切壁の高さが流体が仕切り壁を越えて隣接する他の流体の相へ移動することができない程度の高さが好ましく、さらには微小流路深さと実質的に等しいことがより好ましい。
【００２０】
以下、本発明の微小流路構造体について図面を参照しながらさらに詳しく説明する。
【００２１】
本発明に示したような、微小流路内に流体進行方向に不連続な仕切り壁を流体境界の近傍に沿って形成することにより、流体間の接触面積が減少し、溶媒抽出や化学反応の効率が、仕切り壁のない微小流路に比べて低下すると言うことが、従来までは一般的に指摘されていた。しかしながら本発明の発明者らによる精力的な実験により、実際には全くその逆であることが初めて確認された。すなわち、流体境界の近傍に沿って形成された流体進行方向に不連続な仕切り壁により、流体境界を安定に保ちながらその流体境界で溶媒抽出や化学反応を行った場合、仕切り壁がない単純な構造の微小流路と比較して溶媒抽出や化学反応の効率は飛躍的に高まる。その原理を図３を用いて以下に説明する。
【００２２】
図３は、２流体が層流を形成した場合の流体境界付近の流体の線速度を示した図である。（ａ）は仕切り壁の無い場合を示し、（ｂ）は仕切り壁がある場合を示す。図に描いた矢印は、流体の線速度ベクトル（８２）であり、矢印の長さが長いほど、線速度が速いことを示している。
【００２３】
図３（ａ）に示すように、仕切り壁が無い場合は、流体の線速度ベクトル（８２）は、流体境界付近で最も速くなる。これに対し、溶媒抽出や化学反応の効率に直接影響する、それぞれの流体に含有する物質の流体間の拡散運動は、流体進行方向に対して垂直な方向であるために、流体進行方向の線速度が最も速い流体境界で最も妨げられてしまう。
【００２４】
一方、図３（ｂ）に示すように、不連続な仕切り壁がある場合は、その仕切り壁と仕切り壁の間隔がある程度狭くなると、流体の線速度ベクトル（８２）は流体境界付近ででほぼゼロになる。これは、不連続な仕切り壁が存在することで、その仕切り壁を流体が避けて流れるためである。従って、流体境界の近傍に沿って形成された流体進行方向に不連続な仕切り壁と仕切り壁の間隔がある程度狭くなると、流体は連続して仕切り壁を避けて流れるようになり、仕切り壁と仕切り壁の間の空間は、流体の線速度ベクトルが実質的にゼロの状態になる。これにより、化学反応や溶媒抽出の効率に直接影響する、流体進行方向に対して垂直な方向であるそれぞれの流体に含有する物質の流体間の拡散運動は、流体進行方向の線速度がゼロであるために全く妨げられることがなくなり、速やかに流体間を物質が移動することが可能となる。さらに、ある程度の距離まで、他方の流体に拡散した物質は、流体境界付近から少し離れたところで速やかに流体進行方向に流体の線速度ベクトルに従って流されていくために、流体境界付近に溶媒抽出した物質や化学反応した反応生成物が蓄積することによる流体境界付近のみで溶媒抽出や化学反応の平衡状態あるいは飽和状態を回避することが可能である。従って、仕切り壁と仕切り壁の間では、常に物質拡散が速やかに行われ、仕切り壁から微小流路の外側に向かって少し離れたところでは拡散した物質が速やかに流体進行方向に排出されていく状態が実現されている。従って、流体境界の近傍に沿って形成された流体進行方向に不連続な仕切り壁により、流体境界を安定に保ちながらその流体境界で溶媒抽出や化学反応を実施した場合は、仕切り壁がない単純な構造の微小流路と比較して溶媒抽出や化学反応の効率は飛躍的に高まる。
【００２５】
本発明における微小流路の態様のいくつかを図４に示した。なお本発明は、これらの態様に限定されるものではなく、発明の要旨を逸脱しない範囲で、任意に変更が可能であることは言うまでもない。図４（ａ）に示すように仕切り壁（２２）を合流部（３７）および分岐部（４）から離れた位置に形成することが基本的な態様であるが、図４（ｂ）に示すように微小流路の分岐部に最も近い仕切り壁が、微小流路の分岐部と連通していてもよい。このようにすることで、隣接する流体をゆるやかに分離し、各々の流体の混入を抑制することができる。また、仕切り壁が、導入流路の合流部近傍（５）と排出流路の分岐部近傍（６）を除いて、存在しない箇所が１箇所以上ある、すなわち、図４（ｃ）に示すように、流体境界の近傍に沿って形成された流体進行方向の仕切り壁と仕切り壁の間隔が微小流路における導入流路近傍及び／または排出流路近傍以外の部分との流体進行方向の仕切り壁と仕切り壁の間隔より短くなるように、合流部近傍と分岐部近傍には合流部から連続した仕切り壁および分岐部から連続した仕切り壁を形成すること、あるいは、図４（ｄ）に示すように、合流部近傍と分岐部近傍の部分において、合流部から流体境界の近傍に沿って流体進行方向に連続して仕切り壁および分岐部から連続した仕切り壁を形成してもよい。この仕切り壁が流体進行方向に存在しない箇所が排出流路の分岐部近傍を除いて１箇所以上存在するということは、すなわち仕切り壁が少なくとも流体進行方向に１以上形成されていることを意味する。
【００２６】
また、仕切り壁の流体進行方向における最長の長さが、すべて同じ長さになるように複数の仕切り壁を設けてもよいが、異なる長さの仕切り壁であっても差し支えない。また、流体進行方向の仕切り壁と仕切り壁の間隔も、同じ間隔であってもよいし異なる間隔であってもよい。
【００２７】
また、図７に示すように本発明における微小流路（１９）の直線以外の形状の部分において、前記仕切り壁（２２）が前記微小流路の直線以外の形状の部分の直前の近傍付近（７）から前記微小流路の直線以外の形状の部分の直後の近傍付近（７）まで連続していることが望ましい。ここでいう近傍とは、特に制限はないが好ましくは５０００μｍ以内を意味する。例えば、曲線状の微小流路に流体を流した場合、微小流路の曲線状の部分において遠心力が働くことで、曲線状の微小流路の内側の流体が外側の流体に向かって押し出されるような形状になり、流体進行方向の仕切り壁と仕切り壁の間に流体の流れが生じ、前述した流体間の物質の移動を妨げてしまう。しかしながら、微小流路の直線以外の形状の部分において、前記仕切り壁が前記微小流路の直線以外の形状の部分の直前の近傍付近から前記微小流路の直線以外の形状の部分の直後の近傍付近まで連続して仕切り壁を形成することで、この様な現象を防ぐことができる。
【００２８】
ここで、微小流路の幅方向に対する仕切り壁の位置は、特に制限されず、送液する流量や流速、粘性などの溶液の性質に応じて変更することができる。当然、溶媒抽出や化学反応により隣接する流体の粘性が変化して流体境界の位置が流体進行方向に従って徐々に変化する場合でも、予め粘性の変化をシミュレーション等により計算し予測しておけば、予測した流体境界の近傍に沿って仕切り壁を設ければ良い。逆に、仕切り壁を流路の幅方向に対して中央付近に形成した微小流路に粘性が異なる流体を流した場合は、流体の粘性に逆比例した送液速度で流体を送液すれば流体境界を仕切り壁付近に形成することができる。また、仕切り壁の厚さ（２３）は特に限定されないが、本発明出願時での実験経験から送液自体を妨げないように流路幅の３〜１０％程度が好ましい。また、流体境界の近傍に沿って形成された流体進行方向における仕切り壁と仕切り壁の最短の間隔（２５）の最小値は、仕切り壁（２２）が不連続であれば特に制限はないが、本発明出願時での実験経験から約５０［μｍ］程度が好ましい。
【００２９】
以上のような微小流路構造体を構成している微小流路を有する微小流路基板は、例えばガラスや石英、セラミック、シリコン、あるいは金属や樹脂等の基板材料を、機械加工やレーザー加工、エッチングなどにより直接加工することによって製作できる。また、基板材料がセラミックや樹脂の場合は、流路形状を有する金属等の鋳型を用いて成形することで製作することもできる。なお一般的に、前記微小流路基板は、流体導入口、流体排出口、および各微小流路の排出口に対応する位置に直径数ｍｍ程度の小穴を設けたカバー体と積層一体化させた微小流路構造体として使用する。カバー体と微小流路基板をの接合方法としては、基板材料がセラミックスや金属の場合は、ハンダ付けや接着剤を用いたり、基板材料がガラスや石英、樹脂の場合は、百度〜千数百度の高温下で荷重をかけて熱接合させたり、基板材料がシリコンの場合は洗浄により表面を活性化させて常温で接合させるなどそれぞれの基板材料に適した接合方法が用いられる。
【００３０】
【発明の実施の形態】
以下、本発明の実施の形態について詳細に説明する。なお本発明は、これらの実施例のみに限定されるものではなく、発明の要旨を逸脱しない範囲で、任意に変更が可能であることは言うまでもない。
（実施例）
実施例として、図６（ｂ）に示すような微小流路構造体を製作した。微小流路（１９）の形状は、導入口Ａ（２８）と導入口Ｂ（２９）に連通する導入流路と排出口Ｃ（３０）と排出口Ｄ（３１）に連通する、排出流路がそれぞれＹ字状に２本に分岐している微小流路（１９）を用いた。形成した微小流路の幅は１００μｍ、深さは２５μｍ、長さは３０ｍｍである。また、微小流路内部の構造として、微小流路の中央付近には、図６（ａ）に示したような流体進行方向の最大長さが５０μｍの不連続な高さ２５μｍの仕切り壁（２２）を流体進行方向に５０μｍ間隔で形成した。微小流路は、７０ｍｍ×３８ｍｍ×１ｍｍ（厚さ）のパイレックス（登録商標）基板に一般的なフォトリソグラフィーとウエットエッチングにより形成した。導入口Ａ（２８）と導入口Ｂ（２９）、排出口Ｃ（３０）と排出口Ｄ（３１）に相当する位置に、直径０．６ｍｍの貫通した小穴（３５）を機械的加工手段により設けた同サイズのパイレックス（登録商標）基板をカバー体（３４）として熱融着により接合することで微小流路を密閉し、微小流路構造体を形成した。
【００３１】
この微小流路構造体を用いて、水相に溶解させた金属イオンを有機相に抽出する実験を行った。水相には、純水にＹ３＋の金属イオンを各々０．５ｍＭ溶解させ、硝酸及び４−アミノ酪酸でｐＨを３に調整した水溶液を用いた。有機相には、抽出剤としてＰＣ−８８Ａを２０ｍＭ溶解させて調整したｎ−ヘプタンを用いた。微小流路には、導入口Ａから水相を送液速度を０．１ｍＬ／ｈ、０．２ｍＬ／ｈ、０．３ｍＬ／ｈ、０．４ｍＬ／ｈ、０．５ｍＬ／ｈ、０．６ｍＬ／ｈ、０．８ｍＬ／ｈと送液速度を変えて送液し、この水相のそれぞれの送液速度に対して、導入口Ｂから有機相を送液速度を０．１５ｍＬ／ｈ、０．２９ｍＬ／ｈ、０．４４ｍＬ／ｈ、０．５９ｍＬ／ｈ、０．７３ｍＬ／ｈ、０．８８ｍＬ／ｈ、１．１７ｍＬ／ｈと送液速度を変えて送液した。その結果、仕切り壁の近傍に流体境界が形成され、排出口Ｃからは水相が、排出口Ｄからは有機相が、お互いがほぼ混入せずに排出された。排出された水相中のＹ３＋のイオン濃度をＩＣＰ発光分光分析装置により定量したところ、それぞれの送液速度における抽出率は表１の結果となり、送液速度を上げても抽出効率が低下しないだけでなく、むしろ送液速度を上げることにより抽出効率が高くなる傾向が見られた。
【００３２】
【表１】
2005034679.tif 000002
（比較例）
比較例として、図５（ｂ）に示すような微小流路構造体を製作した。微小流路（１９）の形状は、導入口Ａ（２８）と導入口Ｂ（２９）に連通する導入流路と排出口Ｃ（３０）と排出口Ｄ（３１）に連通する、排出流路がそれぞれＹ字状に２本に分岐している微小流路（１９）を用いた。形成した微小流路の幅は１００μｍ、深さは２５μｍ、長さは３０ｍｍである。また、微小流路内部の構造として、微小流路の中央付近には、図５（ａ）に示したような流体進行方向に高さ３μｍのガイド状（１６）を形成した。微小流路は、７０ｍｍ×３８ｍｍ×１ｍｍ（厚さ）のパイレックス（登録商標）基板に一般的なフォトリソグラフィーとウエットエッチングにより形成した。導入口Ａ（２８）と導入口Ｂ（２９）、排出口Ｃ（３０）と排出口Ｄ（３１）に相当する位置に、直径０．６ｍｍの貫通した小穴（３５）を機械的加工手段により設けた同サイズのパイレックス（登録商標）基板をカバー体（３４）として熱融着により接合することで微小流路を密閉し、微小流路構造体を形成した。また水相と有機相の二相層流分離を良好にするため、以下のような手法を用いて、微小流路構造体の微小流路の片側内壁を疎水化処理した。すなわち、飽和ＫＯＨ−エタノール溶液を導入口Ａ（２８）および導入口Ｂ（２９）から送液速度５μＬ／分で３０分間程度送液し、次に導入口Ａからはトルエン、導入口Ｂからは１０％オクタデシルトリクロロシランのトルエン溶液を送液速度５μＬ／分で３時間程度送液した。この処理により、トルエンのみを送液した導入口Ａから導入されて排出口Ｃ（３０）から排出される側の微小流路片側内壁はもともとのパイレックス（登録商標）ガラスの親水性の状態であり、１０％オクタデシルトリクロロシランのトルエン溶液を送液した導入口Ｂから導入されて排出口Ｄ（３１）から排出される側の微小流路片側内壁は疎水性に修飾される。
【００３３】
この微小流路構造体を用いて、水相に溶解させた金属イオンを有機相に抽出する実験を行った。水相には、純水にＹ３＋の金属イオンを各々０．５ｍＭ溶解させ、硝酸及び４−アミノ酪酸でｐＨを３に調整した水溶液を用いた。有機相には、抽出剤としてＰＣ−８８Ａを２０ｍＭ溶解させて調整したｎ−ヘプタンを用いた。微小流路には、導入口Ａから水相を送液速度を０．１ｍＬ／ｈ、０．２ｍＬ／ｈ、０．３ｍＬ／ｈ、０．４ｍＬ／ｈ、０．５ｍＬ／ｈ、０．６ｍＬ／ｈ、０．８ｍＬ／ｈと送液速度を変えて送液し、この水相のそれぞれの送液速度に対して、導入口Ｂから有機相を送液速度を０．１５ｍＬ／ｈ、０．２９ｍＬ／ｈ、０．４４ｍＬ／ｈ、０．５９ｍＬ／ｈ、０．７３ｍＬ／ｈ、０．８８ｍＬ／ｈ、１．１７ｍＬ／ｈと送液速度を変えて送液した。その結果、微小流路の中央付近に安定した流体境界が形成され、排出口Ｃからは水相が、排出口Ｄからは有機相が、お互いがほぼ混入せずに排出された。排出された水相中のＹ３＋のイオン濃度をＩＣＰ発光分光分析装置により定量したところ、それぞれの送液速度における抽出率は表１の結果となり、送液速度を上げると抽出効率が低下する傾向が見られた。
【００３４】
以上の実施例と比較例、すなわち、表１の結果から、比較例で水相の送液速度が０．１ｍＬ／ｈにおける抽出効率が、実施例で水相の送液速度が０．８ｍＬ／ｈにおける抽出効率にほぼ等しいことから、本実施例に用いた微小流路では、比較例に用いた微小流路の１／８以下の接触時間、すなわち８倍以上の抽出効率を有することを示している。抽出効率の向上は、化学反応の反応効率の向上にそのまま反映される。従って、本発明により微小流路内で隣接する２種の流体が、不連続な仕切り壁によって接触と分離を複数回繰り返すことにより非常に高効率な溶媒抽出及び／または化学反応を実施することが可能となり、より短い流体の接触時間でも十分に高効率な溶媒抽出や化学反応を実施することが可能であることがわかる。
【００３５】
【発明の効果】
本発明の化学操作の実施方法によれば、流体を導入するための２以上の導入口及びそれらに連通する導入流路と、前記導入流路が合流する合流部と連通しかつ導入された流体を流すための微小流路と、前記微小流路に連通しかつ所定の流体を排出する排出流路及びそれらに連通する排出口と、を有した微小流路構造体であって、前記微小流路は、導入された２種以上の流体により形成される境界に沿って、流体進行方向に複数の不連続な仕切壁が形成されており、前記微小流路内で隣接する２種の流体が、前記不連続な仕切り壁によって接触と分離を複数回繰り返すことにより非常に高効率な溶媒抽出及び／または化学反応を実施することが可能となり、より短い流体の接触時間で高効率な溶媒抽出や化学反応を実施することができるため、流体進行方向に不連続な仕切壁のない単純な構造の微小流路よりも送液速度を速くすることが可能となる。従って、隣接する流体同士の接触時間を長くするために送液速度を遅くすることにより単位時間あたりの収量は減ってしまうという従来の問題を解決し、より速い送液速度でも十分な溶媒抽出及び／または化学反応の実施が可能となり、単位時間あたりの収量を高くすることが可能となる。
【００３６】
また本発明の化学操作の実施方法によれば、より短い流体の接触時間でも十分に高効率な溶媒抽出や化学反応を実施することができるため、流体進行方向に不連続な仕切壁のない単純な構造の微小流路よりも流路長を短くすることが可能となる。従って、隣接する流体同士の接触時間を長くするために流路長を長くすることで圧力損失が大きくなり、流体を送液することが難しくなるという従来の問題を解決し、より短い流路長で高効率な溶媒抽出及び／または化学反応の実施が可能となる。これにより、微小流路の集積化による大量な化学的処理（溶媒抽出及び／または化学反応）を行う場合、単位面積あたりの微小流路の本数を増やすことが可能となり、微小流路をより高密度に微小流路基板に実装することが可能となる。
【００３７】
さらに本発明の化学操作の実施方法によれば、隣接する流体間で速やかに物質移動が行われ、他の相に移動した物質は速やかに流体進行方向に流されるため、流体境界で溶媒抽出や化学反応が進行することによる、抽出物質や反応生成物が流体境界の近傍に蓄積される事が無くなる。これにより、流体境界で溶媒抽出や化学反応が進行することによる、抽出物質や反応生成物が流体境界の近傍に蓄積され、微小流路内で濃度分布が生じ、流体境界で抽出物質や反応生成物の濃度が最も高くなり、流体境界の近傍において溶媒抽出や化学反応が飽和状態となるため、流体境界での溶媒抽出や化学反応の進行が遅くなり、微小空間での化学反応の特徴である効率の良い溶媒抽出や化学反応、多相層流分離および副反応の抑制といった効果を十分に得ることができないという従来の問題を解決することができ、本発明の溶媒抽出及び／または化学反応の実施方法により高効率な溶媒抽出及び／または化学反応の実現と同時に、副反応の抑制効果を実現することが可能となる。また、流体境界の近傍に沿って流体進行方向に不連続な仕切り壁を形成することで流体境界が非常に安定となるため、隣接する流体間において、流体の混入をを抑えることが可能となり高い多相層流分離能を実現できる。
【図面の簡単な説明】
【図１】Ｙ字状微小流路内における層流を示す概念図である。
【図２】ダブルＹ字状微小流路内における層流を示す概念図である。また、比較例２と比較例３に使用した微小流路の概念図である。
【図３】２流体が層流を形成した場合の流体境界付近の流体の線速度を示した図である。（ａ）は仕切り壁の無い場合を示し、（ｂ）は仕切り壁がある場合を示す。
【図４】本発明における微小流路の合流部近傍及び、分岐部近傍における仕切り壁のいくつかの態様の概略平面図であり、（ａ）は仕切り壁が微小流路の合流部及び分岐部から離れている場合、（ｂ）は微小流路の分岐部に最も近い仕切り壁が、微小流路の分岐部と連通している場合、（ｃ）及び（ｄ）は微小流路の合流部近傍において仕切り壁が合流部と連続し、かつ、微小流路の分岐部近傍にて仕切り壁が分岐部と連続している場合を示す。
【図５】（ａ）は比較例に使用した微小流路の内部構造の概念図であり、（ｂ）は比較例に使用した微小流路構造体の構成を示す。
【図６】（ａ）は実施例に使用した微小流路の内部構造の概念図であり、（ｂ）は実施例に使用した微小流路構造体の構成を示す。
【図７】本発明における微小流路の曲線状部分における仕切り壁の形状の概略平面図である。
【符号の説明】
１：水相
２：有機相
３：流体境界
４：分岐部
５：合流部近傍
６：分岐部近傍
７：微小流路が直線以外の形状の部分の直前及び／又は直後の近傍付近
８：微小流路の中央近傍
９：微小流路の幅
１０：流路長
１１：流体導入口
１２：流体排出口
１３：流体Ａ
１４：流体Ｂ線速度ベクトル
１６：ガイド状
１７：流路深さ
１８：微小流路の底面
１９：微小流路
２０：突起
２１：排出流路近傍
２２：仕切り壁
２３：仕切り壁の厚さ
２４：仕切り壁の高さ
２５：流体進行方向の仕切り壁と仕切り壁の最短間隔
２６：流体進行方向の仕切り壁の最長の長さ
２７：流体進行方向
２８：導入口Ａ
２９：導入口Ｂ
３０：排出口Ｃ
３１：排出口Ｄ
３２：基板
３３：導入流路近傍
３４：カバー体
３５：小穴
３６：ガイド状の厚さ
３７：合流部
【図１】
2005034679.tif 000003
【図２】
2005034679.tif 000004
【図３】
2005034679.tif 000005
【図４】
2005034679.tif 000006
【図５】
2005034679.tif 000007
【図６】
2005034679.tif 000008
【図７】
2005034679.tif 000009